(57)【特許請求の範囲】
【請求項１】
原稿の画像を読み取るスキャナー装置と、前記スキャナー装置に接続されるハーネスと、を有する画像読取装置であって、
前記スキャナー装置に内向きにハーネスコネクタを設け、前記ハーネスコネクタに接続された前記ハーネスを、前記スキャナー装置の内部でＳ字状に曲げて前記スキャナー装置の外部に導出し、
前記ハーネスに作用する張力を変形することにより調整して前記ハーネスの湾曲形状を維持させるガイド部材を設けたことを特徴とする画像読取装置。
【請求項２】
前記ハーネスは、
前記スキャナー装置の内部に収容されたＵ字状の上部湾曲部と、
前記上部湾曲部と接続し前記上部湾曲部と共にＳ字状を形成するとともに前記スキャナー装置の外部に露出したＵ字状の外側湾曲部と、
を有することを特徴とする請求項１に記載の画像読取装置。
【請求項３】
前記スキャナー装置から導出された前記ハーネスは、前記スキャナー装置の下面を通るように配置されることを特徴とする請求項１又は２に記載の画像読取装置。
【発明の詳細な説明】
【０００１】
【発明の属する技術分野】
本発明は、走査部に配置するスキャナー装置と、スキャナー装置と装置本体との間を接続し給電や信号伝達を行うためのハーネスと、を備えた画像読取装置に関する。
【０００２】
【従来の技術】
ファクシミリ装置や複写機等の画像形成装置と組み合わせて設ける画像読取装置においては、原稿をセットするプラテンの下面に沿ってスキャナ装置を配置し、前記スキャナ装置を副走査方向に移動可能に設けている。前記スキャナ装置は、光源としてのランプと複数のミラーおよび、結像レンズとＣＣＤ等の光電変換手段とを組み合わせて１つのユニットとして構成することがある。そして、前記スキャナ装置を原稿に沿わせて移動させることにより、原稿の画像を読み取った情報を、デジタル信号として出力する。前記スキャナ装置から伝達されるデジタル信号は、ファクシミリ装置の送信信号として用いる他に、複写機においては画像記録部で書込み手段に伝達され、感光体に光情報の書込みを行わせるために用いるようにしている。前記スキャナ装置のような移動体には、ランプに対する給電を行うとともに、読み取った情報を装置本体の情報処理部に伝達するために、装置本体の接続部との間をハーネスで接続している。前記ハーネスは、給電と信号伝達の複数本の導電体を配置して、薄くて巾の広いものとして構成されており、移動体の移動に伴って付与される曲げ作用に、十分に耐久性を発揮できるものとして構成される。
【０００３】
【発明が解決しようとする課題】
前記スキャナ装置を設けた画像読取装置においては、前記スキャナ装置のような移動体の側部や下部にハーネスの接続部を設けている。ところが、図５に示すように、前記ハーネス３０ａを移動体１０ａの移動方向の側部に設けたコネクタ３１ａを介して接続し、本体側コネクタ３２ａに接続した場合には、ハーネス３０ａのＵターン部３４ａを収容するスペースを設けなければならない。そして、装置本体の巾が大きくなる上、移動体１０ａが移動方向の端部（フレーム３の端部）に近付いた時に、ハーネスが壁に当たって破損する等の問題がある。
【０００４】
また、図６に示すように、移動体１０ｂの下部に設けたコネクタ３１ｂを介してハーネス３０ｂを接続し、Ｕターン部３４ｂを介して本体側コネクタ３２ｂに接続して配置する場合もある。しかしながら、前述したようにハーネス３０ｂを配置する場合には、装置本体の高さが増大することと、コネクタ３１ｂからのＵターン部３４ｂの曲率半径が小さいため、ハーネス３０ｂが曲げにより破損しやすいという欠点がある。そして、前記図５、６の例においては、移動体１０が移動するにつれて、ハーネスの湾曲位置が図の鎖線で示すように移動するが、その移動体が移動することにより、前記ハーネスの湾曲部の移動が本体側コネクタに対する張力の変化となり、本体側コネクタの固定支持の状態にも大きな影響が発生する。
【０００５】
本発明は、前記ハーネスの問題を解決しようとするもので、移動体内部でハーネスの接続端部に余裕を持たせ、本体の接続部との間で大きな半径で湾曲させてハーネスを配置することにより、ハーネスが曲げにより損傷されることがないような手段を提供することを目的としている。
【０００６】
【課題を解決するための手段】
本発明は、原稿の画像を読み取るスキャナー装置と、前記スキャナー装置に接続されるハーネスと、を有する画像読取装置であって、前記スキャナー装置に内向きにハーネスコネクタを設け、前記ハーネスコネクタに接続された前記ハーネスを、前記スキャナー装置の内部でＳ字状に曲げて前記スキャナー装置の外部に導出し、前記ハーネスに作用する張力を変形することにより調整して、前記ハーネスの湾曲形状を維持させるガイド部材を設けたことを特徴とする。これにより、画像読取装置をコンパクトに構成でき、ハーネスの湾曲形状が維持され、ハーネスの破損をも防止できる。
請求項２に記載の発明は、請求項１に記載の画像読取装置において、前記ハーネスは、前記スキャナー装置の内部に収容されたＵ字状の上部湾曲部と、前記上部湾曲部と接続し前記上部湾曲部と共にＳ字状を形成するとともに前記スキャナー装置の外部に露出したＵ字状の外側湾曲部と、を有することを特徴とする。
【０００７】
請求項３の発明は、請求項１又は２に記載の画像読取装置において、前記スキャナー装置から導出された前記ハーネスは、前記スキャナー装置の下面を通るように配置されることを特徴とする。これにより、スキャナー装置の下面を通してハーネスの案内を行うことができ、ハーネスに曲げの影響が及ぼされることがない。
【０００８】
【発明の実施の形態】
図示される例にしたがって、本発明のハーネスの取付構造を説明する。図１には本発明の画像読取装置の平面図を、図２にはその正面図を示しているもので、前記図１、２に示すように、画像読取装置１のプラテン２の下面に沿って移動し、原稿の画像の読取りを行う移動体としてのスキャナー装置１０は、装置フレーム２のフロント側に配置するガイドレール７と、リヤ側に配置するガイドロッド８により案内される。前記スキャナー装置１０は、移動方向に直角な方向の両端部に、スライド部材１７とロッド摺動部材１８を突出させて設け、装置のロッド摺動部材１８側に設けたベルト固定部１９を駆動用ベルト２４に接続して、駆動装置２０により往復移動させる。そして、前記スキャナー装置１０を移動させるために、装置のリヤ側ではロッド摺動部材１８をガイドロッド８に対して遊びのない状態で案内し、フロントフレーム４側では摩擦係数の小さいガイドレール７にスライド部材１７を摺動させるようにしている。
【０００９】
前記スキャナー装置２０は、１つの読取りユニットとして構成されているもので、装置本体にランプ１１とミラー１２の他に、光を反射する複数のミラーを組み合わせて設けている。そして、端部のミラーにより反射した光をレンズ１３を介して光電変換手段としてのＣＣＤ１４に結像して、前記ＣＣＤ１４により光信号をデジタル信号として、出力端末１５からハーネス３０を介して出力させる。前記画像読取装置１のフレーム３は、図２に示すように、上部に配置するプラテン２に対してフロントフレーム４、リヤフレーム５および底部フレーム６を組み合わせて設け、前記フロントフレーム４の内面にはガイドレール７を突出させるように配置し、リヤフレーム５の内側にはガイドロッド８と駆動用ベルト２４とを平行に配置している。前記スキャナー装置１０は、駆動用ベルト２４の駆動側をベルト固定部１９に固定して取付け、ベルトの戻り側２４ａはフレームの底部フレーム側に配置される。
【００１０】
前記スキャナー装置１０を往復移動させる駆動装置２０は、リヤフレーム５に支持させるモータ２１からベルト２２を介して駆動プーリ２３を駆動し、前記駆動プーリ２３に巻き掛けた駆動用ベルト２４を用いてスキャナー装置１０を駆動する。前記駆動装置２０の他方の側にはテンショナー２５を設けており、前記テンショナー２５においては、位置の調整が可能な支持フレーム２６にテンションプーリ２７を支持させ、引っ張りスプリング２８により所定の値の張力を駆動用ベルト２４に付与し、駆動用ベルト２４に対して一定の値の張力が付与されるようにする。そして、プラテンにセットした原稿のサイズの情報に対応させて、モータ２１を正転させてスキャナー装置１０を副走査方向に移動し、読取りの終了後にモータ２１を逆転させて、スキャナー装置１０を待機位置に戻す動作を行うに際して、駆動用ベルト２４の張力が変動することを防止し、原稿の読取り時のスキャナー装置１０の移動速度を定速に維持できるようにする。
【００１１】
前記スキャナー装置１０に配置するランプ１１への給電と、ＣＣＤから出力されるデジタル信号を画像読取装置の本体制御装置に伝達するために、フレーム底板６に設けた接続端末９と、スキャナー装置１０の出力端末１５の間に、ハーネス３０を配置している。本実施例において、スキャナー装置１０に配置するランプ１１には、スキャナー装置１０の内部に昇圧トランスを装備しており、ハーネス３０を通して供給される低圧電流を、ランプに高圧に変換して供給する方式を用いるので、前記ハーネス３０の給電経路には、低圧の電流を流すことができる。また、画像信号としてのデジタル信号は非常に低圧のパルス信号であるから、従来のハーネスの場合のように、高圧電流を流すために、ハーネスの絶縁体を厚く被覆して構成する必要がなく、ハーネス３０を絶縁被覆を含めて薄いものとして構成することができる。
【００１２】
前記ハーネス３０は、図３に示すように、スキャナー装置１０の上部に設けた上部空間部３５内部で、空間の内側に向けて配置する出力端末１５にコネクタ３１を接続し、前記上部空間部３５内で略Ｕ字状の湾曲部３３を形成してから導出口３６より導出する。そして、スキャナー装置１０の下面を通すようにＵ字状の外側湾曲部３４を形成して、図１に示すように、底部フレーム６に配置した接続端末９に、本体側コネクタ３２を接続している。したがって、前記２つのＵ字状湾曲部を組み合わせた略Ｓ字状の湾曲部を介在させて配線することにより、ハーネス３０の配置経路に自由度を大きく持たせることができるようにする。
【００１３】
前記図３に示す例において、上部空間部３５には板バネを湾曲させて形成したガイド部材３７を設け、ハーネス３０の上部湾曲部３３でのＵ字状の形状を維持させている。前記ガイド部材３７は、図示されるように、板バネの比較的力の弱いものを使用すれば、上部湾曲部３３に対して引っ張り力が作用した時には、そのガイド部材３７が容易に変形するので、ハーネス３０の湾曲形状には大きな影響を与えないものとなり、張力が解除された場合には、ガイド部材３７の反力により上部湾曲部３３の湾曲形状を容易に回復させることができる。なお、前記ガイド部材３７としては、ハーネス３０の案内を良好に行い得るものであれば、例えば、プラスチック製のものでも良い。さらに、前記ガイド部材３０は、細い針金のような部材や棒状のガイド部材３７を上部空間部３５の中央部に配置することによっても、ハーネス３０の上部湾曲部３３の形状を維持させ、張力が付与された場合でも前記ガイド部材がたわむ等して、ハーネス３０に余分な張力が付与されることを防止できるようにすると良い。
【００１４】
前記ハーネス３０は、スキャナー装置１０の導出口３６から延出されて、外側湾曲部３４を形成してから、スキャナー装置１０の下面を通して本体側コネクタ３２により装置本体の接続部に接続されるように、底部フレーム６の上面に位置されてスキャナー装置１０の下面を通るように配置される。前記ハーネス３０をスキャナー装置１０に接続して、スキャナー装置１０に対する給電と信号の伝達を行う際には、図４のように、ハーネス３０の一端部のコネクタ３１と本体フレームの端末に装着する本体側コネクタ３２との間に、Ｓ字状の２つの湾曲部３３、３４を介して配線しているので、スキャナー装置１０が移動する際には、前記２つの湾曲部のうち、特に外側湾曲部３４の位置の変化によりハーネス３０に加えられる張力の変化が、前記２つの湾曲部での湾曲状態（鎖線で示す状態）の変化により、ハーネス３０の両端部のコネクタに対する余分な力として作用しないようにすることができる。また、前記上部湾曲部３３と外側湾曲部３４の一時的な変形が生じた場合でも、その余分な湾曲部の変形は、ハーネス３０の弾性により直ちに自動的に解消される。
【００１５】
なお、前記本発明の実施例においては、移動体として画像書き込み装置に設けるスキャナー装置の場合を例にして説明したが、前記移動体としては、装置の内部で直線方向に往復移動する任意の装置に対する給電や信号の伝達手段に適用が可能なものである。また、前記ハーネスとしては、フラットケーブルに類似する任意の給電線や信号伝達ケーブル等を対象とすることができる。さらに、画像読取装置のスキャナー装置に対する給電と信号伝達を行うケーブルでも、高圧給電を行うケーブルを対象とするものであっても、前記Ｓ字状の湾曲部を介してハーネスを配線することが可能である。
【００１６】
【発明の効果】
本発明の装置は、前述したように構成したものであるから、移動体に内向きにハーネスコネクタを設け、前記コネクタに接続されたハーネスを、移動体内でＳ字状に曲げて移動体から導出し、装置本体に前記ハーネスを接続することにより、画像読取装置をコンパクトに構成でき、ハーネスの破損をも防止できる。また、前記移動体に接続されるハーネスコネクタから、最初にハーネスが湾曲される部分にガイドを設けたことにより、コネクタがハーネスの湾曲による影響を受けないものとすることができる。さらに、前記移動体から導出されたハーネスは、移動体の下面を通るようにしているから、ハーネスの接続基部の位置を変更することなく、そのコンパクトな引き回しがなされる。
【図面の簡単な説明】
【図１】  本発明の画像読取装置の構成を示す説明図である。
【図２】  図１の画像読取装置の平面図である。
【図３】  スキャナー装置に接続するハーネスの配置状態の説明図である。
【図４】  スキャナー装置の移動によるハーネスの湾曲状態を示す説明図である。
【図５】  従来のスキャナー装置でのハーネスの接続状態の説明図である。
【図６】  従来のスキャナー装置でのハーネスの接続状態の別の例の説明図である。
【符号の説明】
１    画像読取装置、  ２    プラテン、  ３    フレーム、
４    フロントフレーム、  ５    リヤフレーム、  ６    底部フレーム、
７    ガイドレール、  ８    ガイドロッド、  １０    スキャナー装置、
１１    ランプ、  １２    ミラー、  １３    レンズ、  １４    ＣＣＤ、
１５    出力端末、  １７    スライド部材、  １８    ロッド摺動部材、
１９    ベルト固定部、  ２０    駆動装置、  ２１    モータ、
２２    伝導ベルト、  ２３    駆動プーリ、  ２４    駆動用ベルト、
２５    テンショナー、  ２６    支持フレーム、
２７    テンションプーリ、  ２８    スプリング、  ３０    ハーネス、
３１    コネクタ、  ３２    本体側コネクタ、  ３３    上部湾曲部、
３４    外側湾曲部、  ３５    上部空間部、  ３６    導出口、
３７    ガイド部材。
【図１】
0004022800.tif 000002
【図２】
0004022800.tif 000003
【図３】
0004022800.tif 000004
【図４】
0004022800.tif 000005
【図５】
0004022800.tif 000006
【図６】
0004022800.tif 000007